(57)【要約】【課題】  ワサビに含まれる抗菌・脱臭有効成分を利用した安価で無害なワサビ式抗菌脱臭装置及びワサビ式抗菌脱臭方法を提供する。【解決手段】  ワサビ溶液Ｗと水Ｍとを収容するとともに、内部で発生したワサビガスを外部に放出させるための孔部３３を有するガス発生用容器３０と、ガス発生用容器３０内に空気を導入する空気導入手段（エアポンプ２０及び空気導入管４０）と、ガス発生用容器３０及び空気導入手段を収納する筐体１０と、ガス発生用容器３０の孔部３３から放出されたワサビガスを筐体１０の外部に放散させるファン７０と、を備えるワサビ式抗菌脱臭装置１である。また、容器３０内でワサビ溶液Ｗと水Ｍとを混合させることによりワサビガスを発生させ、ワサビ溶液Ｗと水Ｍとの混合液に空気を導入することによりワサビガスを容器３０から外部に強制的に放出するワサビ式抗菌脱臭方法である。【選択図】        図１
2005192628.tif 000002
【特許請求の範囲】
【請求項１】
ワサビ溶液と水とを収容するとともに、内部で発生したワサビガスを外部に放出させるための孔部を有するガス発生用容器と、
前記ガス発生用容器内に空気を導入する空気導入手段と、
を備えることを特徴とするワサビ式抗菌脱臭装置。
【請求項２】
前記ガス発生用容器及び前記空気導入手段を収納する筐体をさらに備え、
前記筐体は、
前記ガス発生用容器の前記孔部から放出されたワサビガスを外部に放散させるファンを有することを特徴とする請求項１に記載のワサビ式抗菌脱臭装置。
【請求項３】
前記空気導入手段による空気の導入時間を制限する時限手段を備えることを特徴とする請求項１又は２に記載のワサビ式抗菌脱臭装置。
【請求項４】
所定の容器内でワサビ溶液と水とを混合させることによりワサビガスを発生させるガス発生工程と、
ワサビ溶液と水との混合液に空気を導入することによりワサビガスを前記容器から外部に強制的に放出するガス放出工程と、
を備えることを特徴とするワサビ式抗菌脱臭方法。
【請求項５】
前記ガス放出工程で、空気の導入時間を制限することを特徴とする請求項４に記載のワサビ式抗菌脱臭方法。
【発明の詳細な説明】
【技術分野】
【０００１】
本発明は、ワサビ式抗菌脱臭装置及びワサビ式抗菌脱臭方法に関する。
【背景技術】
【０００２】
近年、所定の閉空間（例えば自家用車の車内空間や住宅の室内空間）の抗菌や脱臭を行うための技術が種々提案されている。例えば、空気中の臭気成分や有害物質の分解を行う光触媒モジュールを備えた空気浄化装置が提案されている（例えば、特許文献１参照。）。かかる空気浄化装置においては、光触媒モジュールを挟持する放電電極により紫外線又はオゾンを発生させ、この紫外線又はオゾンにより活性化された光触媒モジュールの光触媒作用によって臭気分解を行っている。
【０００３】
また、空気吸入口を備える筐体内に、プレフィルタ、イオナイザ兼オゾナイザ、集塵電極、オゾン分解触媒、ファン等を空気吸入口側から順次配置して構成した空気清浄機が提案されている（例えば、特許文献２参照。）。かかる空気清浄機は、空気流入口から筐体に流入する空気に含まれる比較的粗い塵をプレフィルタで除去した後、プレフィルタを通過する比較的細かい塵をイオナイザで帯電させて集塵電極で収集するとともに、オゾナイザで集塵電極内の殺菌処理を行うものである。
【特許文献１】特開２００３−７０８８６号公報（第１頁、第１図）
【特許文献２】特開２００２−３５７３４１号公報（第１頁、第１図）
【発明の開示】
【発明が解決しようとする課題】
【０００４】
しかし、前記した特許文献１や特許文献２に記載された抗菌脱臭技術を採用すると、オゾンや紫外線を発生させるための高電圧放電を行う放電電極や、比較的細かい塵を収集する集塵電極等の比較的高価な電子部品が必要となるとともに、発生したオゾンを分解するためのオゾン分解触媒を設ける必要がある。このため、装置全体が高価となってしまう。また、特許文献１や特許文献２に記載された技術において使用されるオゾンは優れた抗菌・脱臭効果を有するものであるが、一定量を超えると却って有害となる場合がある。
【０００５】
本発明の課題は、ワサビに含まれる抗菌・脱臭有効成分を利用した安価で無害なワサビ式抗菌脱臭装置を提供することである。
【０００６】
また、本発明の課題は、ワサビに含まれる抗菌・脱臭有効成分を利用したワサビ式抗菌脱臭方法を提供することである。
【課題を解決するための手段】
【０００７】
以上の課題を解決するために、請求項１に記載の発明は、ワサビ式抗菌脱臭装置であって、ワサビ溶液と水とを収容するとともに、内部で発生したワサビガスを外部に放出させるための孔部を有するガス発生用容器と、前記ガス発生用容器内に空気を導入する空気導入手段と、を備えることを特徴とする。
【０００８】
請求項１に記載の発明によれば、きわめて高い揮発性を有するワサビ溶液に水を混合させることにより、ガス発生用容器内でワサビガスを発生させることができる。そして、空気導入手段でワサビ溶液と水との混合液に空気を導入することにより、ガス発生用容器の孔部を介して、ワサビガス（ワサビ香）を外部に強制的に放出することができる。従って、所望の閉空間に迅速にワサビガスを充満させることができ、ワサビガスに含まれる抗菌・脱臭有効成分（イソチオシアン酸アリル）により、高価な電子部品やオゾンを用いることなく、安価で無害な抗菌・脱臭処理を実現させることができる。
【０００９】
請求項２に記載の発明は、請求項１に記載のワサビ式抗菌脱臭装置において、前記ガス発生用容器及び前記空気導入手段を収納する筐体をさらに備え、前記筐体は、前記ガス発生用容器の前記孔部から放出されたワサビガスを外部に放散させるファンを有することを特徴とする。
【００１０】
請求項２に記載の発明によれば、ガス発生用容器及び空気導入手段を筐体に収納した状態で一体的に持ち運ぶことができる。また、筐体は、ガス発生用容器の孔部から放出されたワサビガスを外部に放散させるファンを有するので、抗菌・脱臭処理の迅速化を実現させることができる。
【００１１】
請求項３に記載の発明は、請求項１又は２に記載のワサビ式抗菌脱臭装置において、前記空気導入手段による空気の導入時間を制限する時限手段を備えることを特徴とする。
【００１２】
請求項３に記載の発明によれば、空気導入手段による空気の導入時間を制限する時限手段を備えるので、ワサビガスの放出時間を制限することができる。従って、抗菌・脱臭に必要な量を超えたワサビガスの放出を抑制することができ、閉空間内に残存するワサビ臭を低減させることができる。
【００１３】
請求項４に記載の発明は、ワサビ式抗菌脱臭方法であって、所定の容器内でワサビ溶液と水とを混合させることによりワサビガスを発生させるガス発生工程と、ワサビ溶液と水との混合液に空気を導入することによりワサビガスを前記容器から外部に強制的に放出するガス放出工程と、を備えることを特徴とする。
【００１４】
請求項４に記載の発明によれば、きわめて高い揮発性を有するワサビ溶液に水を混合させることにより、所定の容器内でワサビガスを発生させることができる。そして、ワサビ溶液と水との混合液に空気を導入することにより、ワサビガス（ワサビ香）を容器から外部に強制的に放出することができる。従って、所望の閉空間に迅速にワサビガスを充満させることができ、ワサビガスに含まれる抗菌・脱臭有効成分（イソチオシアン酸アリル）により、安価で無害な抗菌・脱臭処理を実現させることができる。
【００１５】
請求項５に記載の発明は、請求項４に記載のワサビ式抗菌脱臭方法において、前記ガス放出工程で、空気の導入時間を制限することを特徴とする。
【００１６】
請求項５に記載の発明によれば、ガス放出工程で、空気の導入時間を制限するので、ワサビガスの放出時間を制限することができる。従って、抗菌・脱臭に必要な量を超えたワサビガスの放出を抑制することができ、閉空間内に残存するワサビ臭を低減させることができる。
【発明の効果】
【００１７】
本発明によれば、きわめて高い揮発性を有するワサビ溶液に水を混合させてワサビガスを発生させ、これらワサビ溶液と水との混合液に空気を導入してワサビガスを外部に強制的に放出し、所望の閉空間に迅速にワサビガスを充満させることができる。この結果、天然のワサビに含まれる抗菌・脱臭有効成分を利用した安価で無害な抗菌・脱臭処理を実現させることができる。
【発明を実施するための最良の形態】
【００１８】
以下、本発明の実施の形態を、図を用いて詳細に説明する。
【００１９】
まず、図１〜図３を用いて、本発明の実施の形態に係るワサビ式抗菌脱臭装置１の構成について説明する。
【００２０】
本実施の形態に係るワサビ式抗菌脱臭装置１は、図１〜図３に示すように、直方体状の筐体１０、筐体１０の上方空間に収納されたエアポンプ２０、筐体１０の下方空間に収納されたガス発生用容器３０、エアポンプ２０から供給される空気をガス発生用容器３０に導入するための空気導入管４０、装置の運転時間を制限するタイマ５０、装置の運転状態を切り替えるスイッチ６０、筐体２の内部のワサビガスを外部に放散させるファン７０、図示されていない車載バッテリの電力を装置に供給するためのシガーライタソケット８０、装置が運転している間に点灯するパイロットランプ９０、等を備えて構成されている。
【００２１】
筐体１０は、図１〜図３に示すように、上下左右及び後方に配置された壁部から構成される筐体本体１１と、この筐体本体１１の前方にヒンジ１３を介して開閉自在に取り付けられた蓋体１２と、を備えている。
【００２２】
筐体本体１１の内部は、図１及び図２に示すように、仕切板１４によって上方空間と下方空間に仕切られている。筐体本体１１の上方空間の前方には、タイマ５０やスイッチ６０を固定するための前面板１５が設けられている。また、筐体本体１１の下方空間には、図１及び図２に示すように、ガス発生用容器３０を挟んで支持するための容器支持金具１６が固定されている。
【００２３】
また、図１に示すように、筐体本体１１の上部には把持部１７が設けられており、作業者はこの把持部１７を把持して筐体１０を持ち運ぶことができる。また、図１に示すように、筐体本体１１の右側壁部にはワサビガスを放出するための吹出口１８が設けられており、この吹出口１８の内側にはファン７０が配置される。
【００２４】
エアポンプ２０は、図１及び図３に示すように、筐体本体１１の上方空間に配置されて、ガス発生用容器３０に空気を連続的に供給するものである。エアポンプ２０は、図２及び図３に示すように、ポンプ止金具２１及びネジ２２によって仕切板１４に固定される。エアポンプ２０は、シガーライタソケット８０を介して供給された車載バッテリの電力により駆動される。
【００２５】
ガス発生用容器３０は、図１に示すように、その内部にワサビ溶液Ｗと水Ｍとを収容してワサビガスを発生させるためのものであり、円筒状の容器本体３１と、この容器本体３１の上部に取り付けられる蓋体３２と、から構成される。ガス発生用容器３０は、筐体本体１１の下方空間に配置される。この際、図１に示すように、容器支持金具１６によってガス発生用容器３０の蓋体３２の左右側方部が挟まれることにより、容器の転倒が防止される。また、ガス発生用容器３０は、筐体本体１１から取り出すことができる。
【００２６】
ガス発生用容器３０の蓋体３２には、容器本体３１の内部で発生したワサビガスを外部に放出するための孔部３３が設けられている。本実施の形態においては、図１及び図２に示すように、ゴム栓３４を用いて蓋体３２の孔部３３を閉塞するようにしている。孔部３３の個数は、ガス発生用容器３０の容積に応じて適宜決めることができる。
【００２７】
空気導入管４０は、図３に示すように一方の端部がエアポンプ２０に接続されるとともに、図１及び図２に示すように他方の端部が筐体本体１１の下方空間に配置されたガス発生用容器３０の容器本体３１の内部に位置するように配置されている。エアポンプ２０によって発生した空気は、空気導入管４０を介して、ガス発生用容器３０の内部に導入される。なお、エアポンプ２０及び空気導入管４０は、本発明における空気導入手段を構成する。
【００２８】
タイマ５０は、図１〜図３に示すように、筐体本体１１の上方空間に配置され、この上方空間に設けられた前面板１５と仕切板１４とに固定されている。タイマ５０は、エアポンプ２０やファン７０の駆動装置と電気的に接続されており、作業者が設定した所定の運転時間が経過した時点でエアポンプ２０やファン７０の運転が自動的に停止するように駆動装置を制御する。すなわち、タイマ５０は、本発明における時限手段である。
【００２９】
スイッチ６０は、図１及び図３に示すように、筐体本体１１の上方空間の前面板１５に取り付けられており、スティック状の操作部６１を有している。操作部６１が水平な状態にあるときは車載バッテリからの電力が遮断され、エアポンプ２０やファン７０は停止状態となる。一方、操作部６１が上方に操作された状態にあるときは、タイマ５０の制御により、設定された運転時間だけエアポンプ２０やファン７０は運転を行う。また、操作部６１が下方に操作された状態にあるときは、エアポンプ２０やファン７０は連続運転を行う。
【００３０】
ファン７０は、図１に示すように、筐体本体１１の下方空間の右側壁部に設けられた吹出口１８の近傍に配置されている。ファン７０は、ガス発生用容器３０の内部で発生して孔部３３から筐体本体１１の下方空間に流出したワサビガスを、筐体１０の外部に放散させるものである。ファン７０は、シガーライタソケット８０を介して供給された車載バッテリの電力により駆動される。
【００３１】
シガーライタソケット８０は、図３に示すように、電線８１を介して筐体本体１１の後方壁部に接続されている。シガーライタソケット８０は、図示されていない車両のシガーライタに挿入されることにより、車載バッテリの電力を装置に供給するものである。パイロットランプ９０は、エアポンプ２０やファン７０が運転している間に点灯して、作業者に運転状態を報知するものである。
【００３２】
次に、本実施の形態に係るワサビ式抗菌脱臭装置１を用いて、車両の車内空間の抗菌・脱臭を行う方法（ワサビ式抗菌脱臭方法）について説明する。
【００３３】
まず、図１に示すように、ワサビ式抗菌脱臭装置１の筐体１０の蓋体１２を開き、筐体本体１１の下方空間に収納されているガス発生用容器３０を取り出す。そして、ガス発生用容器３０の蓋体３２を容器本体３１から取り外し、図１に示すように、容器本体３１の内部にワサビ溶液Ｗ（１０ｍｌ）と水Ｍ（１００ｍｌ）とを注ぎ込む。ワサビ溶液はきわめて高い揮発性を有するため、このようにワサビ溶液Ｗに水Ｍを加えることによってワサビガスが発生する（ガス発生工程）。なお、本実施の形態においては、ワサビ成分と水とを混合させてワサビ溶液Ｗを構成しており、ワサビ溶液Ｗ内のワサビ成分の重量比を１０％に設定している。
【００３４】
次いで、蓋体３２で容器本体３１を施蓋した状態でガス発生用容器３０を筐体本体１１の下方空間に収納して、ガス発生用容器３０の蓋体３２に設けられた孔部３３から空気導入管４０を容器内部に挿入する（図１及び図２参照）。そして、ガス発生用容器３０の蓋体３２に取り付けられていたゴム栓３４を取り外して孔部３３を開く。
【００３５】
次いで、抗菌・脱臭を行いたい車両の車内空間の適所（例えば助手席の足元）にワサビ式抗菌脱臭装置１を配置し、シガレットライタソケット８０を車両のシガーライタに挿入する。次いで、筐体本体１１の上方空間に設けられたタイマ５０を操作することにより、装置の運転時間を「３分」に設定する。そして、スイッチ６０の操作部６１を上方に操作した後、筐体１０の蓋体１２を閉じる。
【００３６】
次いで、車両のエアコンのスイッチをＯＮに設定するとともに内気循環モードに設定し、車両の窓を全て閉めた状態で車両のエンジンを作動させる。このエンジンの作動により、車載バッテリの電力がシガレットライタソケット８０を介してエアポンプ２０の駆動装置に供給されてエアポンプ２０が作動し、エアポンプ２０から供給される空気が空気導入管４０を介してガス発生用容器３０の内部に導入される。このようにガス発生用容器３０の内部の混合液に空気が導入されることにより、ガス発生用容器３０の内部のワサビガスが、孔部３３から外部（筐体本体１１の下方空間内）に強制的に放出される（ガス放出工程）。
【００３７】
また、車載バッテリの電力がシガレットライタソケット８０を介してファン７０の駆動装置に供給されてファン７０が作動することにより、筐体本体１１の下方空間内に強制的に放出されたワサビガスが、吹出口１８から筐体１０の外部に放散される。このようにワサビ式抗菌脱臭装置１の外部に強制的に放出されたワサビガスは、車両の車内空間に迅速に充満するとともにエアコンの内部に侵入し、抗菌・脱臭処理を実現させることができる。エアポンプ２０及びファン７０は３分間運転を継続した後、タイマ５０の制御により自動的に停止する。
【００３８】
以上説明した実施の形態に係るワサビ式抗菌脱臭装置１においては、きわめて高い揮発性を有するワサビ溶液Ｗに水Ｍを混合させることにより、ガス発生用容器３０内でワサビガスを発生させることができる。そして、エアポンプ２０及び空気導入管４０でワサビ溶液Ｗと水Ｍとの混合液に空気を導入することにより、ガス発生用容器３０の孔部３３を介して、ワサビガス（ワサビ香）を外部に強制的に放出することができる。従って、車内空間やエアコン内に迅速にワサビガスを充満・侵入させることができ、ワサビガスに含まれる抗菌・脱臭有効成分（イソチオシアン酸アリル）により、安価かつ無害な抗菌・脱臭処理を実現させることができる。
【００３９】
また、以上説明した実施の形態に係るワサビ式抗菌脱臭装置１においては、ガス発生用容器３０やエアポンプ２０を筐体１０に収納した状態で一体的に持ち運ぶことができる。また、ガス発生用容器３０の孔部３３から筐体本体１１の下方空間に放出されたワサビガスを筐体１０の外部に放散させるファン７０が設けられているので、抗菌・脱臭処理の迅速化を実現させることができる。
【００４０】
また、以上説明した実施の形態に係るワサビ式抗菌脱臭装置１においては、エアポンプ２０の運転時間（すなわちエアポンプ２０による空気の導入時間）及びファン７０の運転時間を制限するタイマ５０を備えるので、ワサビガスの放出時間を制限することができる。従って、抗菌・脱臭に必要な量を超えたワサビガスの放出を抑制することができ、車内空間に残存するワサビ臭を低減させることができる。
【００４１】
なお、以上の実施の形態においては、本発明における「空気導入手段」を、エアポンプ２０及び空気導入管４０によって構成した例を示したが、ガス発生用容器３０に空気を導入してワサビガスを強制的に放出させるような構成であればいかなる構成を採用してもよい。
【００４２】
また、以上の実施の形態においては、筐体１０の内部にガス発生用容器３０や空気導入手段（エアポンプ２０及び空気導入管４０）を収納して、一体的に持ち運ぶことができるような構成を採用したが、ガス発生用容器３０と空気導入手段とを分離させた状態で持ち運び、所望の場所でこれらを組み立てて抗菌・脱臭処理を行うこともできる。
【００４３】
また、以上の実施の形態においては、車両の車載バッテリからの電力の供給を受けて運転するワサビ式抗菌脱臭装置１について説明したが、装置自体にバッテリを搭載し、このバッテリの電力により自律的に運転するような構成を採用することもできる。また、以上の実施の形態においては、車内空間の抗菌・脱臭処理を行った例を示したが、本実施の形態に係るワサビ式抗菌脱臭装置１を用いて、他の閉空間の抗菌・脱臭処理を行うことができることは勿論である。
【図面の簡単な説明】
【００４４】
【図１】本発明の実施の形態に係るワサビ式抗菌脱臭装置の正面図である。
【図２】図１のII−II部分の矢視図である。
【図３】図１のIII−III部分の矢視図ある。
【符号の説明】
【００４５】
１      ワサビ式抗菌脱臭装置
１０      筐体
２０      エアポンプ（空気導入手段）
３０      ガス発生用容器
３３      孔部
４０      空気導入管（空気導入手段）
５０      タイマ（時限手段）
７０      ファン
Ｍ      水
Ｗ      ワサビ溶液
【図１】
2005192628.tif 000003
【図２】
2005192628.tif 000004
【図３】
2005192628.tif 000005